(57)【要約】【課題】前後脚を閉じる際に手指を挟むおそれがない上、構成部品の変形や破損が起こり難く、安定した構造が得られる脚立の開き止め金具を提供する。【解決手段】開き止め金具3は、左右リンクユニット4A,4Bと中央バー5とを備える。各リンクユニットは、一端部411が前脚2Aに回動自在に取り付けられる前リンク41、一端部421が後脚2Bに回動自在に取り付けられる後リンク42、前後リンクの他端部412,422どうしを回動自在に連結する連結ピン43を有している。中央バーは、左右リンクユニットの連結ピンどうしを連結するように水平にのびている。後リンクの他端部近傍に、前後リンク間に手指が挟まるのを防止しうる程度の隙間Sを生じさせる屈曲部423が形成されている。【選択図】図５
2015081454.tif 000002
【特許請求の範囲】
【請求項１】
前後脚の上端部どうしが回動自在に連結されている脚立において、前後脚が所定角度以上に開くのを防止するための開き止め金具であって、
一端部が前脚の左側部に回動自在に取り付けられる前リンク、一端部が後脚の左側部に回動自在に取り付けられる後リンク、および前後リンクの他端部どうしを回動自在に連結する水平な連結ピンを有している左リンクユニットと、
一端部が前脚の右側部に回動自在に取り付けられる前リンク、一端部が後脚の右側部に回動自在に取り付けられる後リンク、および前後リンクの他端部どうしを回動自在に連結する水平な連結ピンを有している右リンクユニットと、
左右リンクユニットの連結ピンどうしを連結するように左右リンクユニット間を水平にのびている中央バーとを備えており、
左右各リンクユニットにおいて、前後リンクのうち少なくとも一方の他端部近傍に、閉脚操作時に前後リンク間に手指が挟まるのを防止しうる程度の隙間を生じさせるクランク状の屈曲部が形成されている、脚立の開き止め金具。
【請求項２】
左右リンクユニットが、中央バーの長さ中央を通って前後方向にのびる線を基準線として左右対称となされている、請求項１記載の脚立の開き止め金具。
【発明の詳細な説明】
【技術分野】
【０００１】
この発明は、脚立の開き止め金具に関する。
【背景技術】
【０００２】
左右２本の支柱および両支柱に渡し止められた踏桟をそれぞれ有する前後２つの脚の上端部どうしが回動自在に連結されている折り畳み式の脚立の場合、前後脚が所定角度以上に開くのを防止するために、両脚に跨がって開き止め金具が取り付けられている。
【０００３】
脚立の開き止め金具には種々の形態のものがあるが、その１形態として、左右１対のリンクユニットおよび中央バーを備えた平面より見て略Ｈ形のものが知られている（例えば下記の特許文献１参照）。左リンクユニットは、一端部が前脚の左側部に回動自在に取り付けられる前リンク、一端部が後脚の左側部に回動自在に取り付けられる後リンク、および前後リンクの他端部どうしを連結する水平な連結ピンを有している。右リンクユニットは、一端部が前脚の右側部に回動自在に取り付けられる前リンク、一端部が後脚の右側部に回動自在に取り付けられる後リンク、および前後リンクの他端部どうしを連結する水平な連結ピンを有している。中央バーは、左右リンクユニットの連結ピンどうしを連結するように、左右リンクユニット間を水平にのびている。
この開き止め金具によれば、前後脚が所定角度に開いた開脚状態から、中央バーを手で上方に持ち上げると、左右各リンクユニットの前後リンクが閉じ、それに連動して前後脚が閉じるため、脚立の折り畳み操作を簡単に行うことができる。
しかしながら、上記の開き止め金具の場合、閉脚操作に伴って前後リンクが閉じる際に、前後リンク間に手指を挟んで怪我をするおそれがあった。
【０００４】
このような問題を解決するための手段として、下記の特許文献２に記載の開き止め金具が提案されている。この開き止め金具(81)は、図８に示すように、左右各リンクユニット(82L)(82R)における前後リンク(83)(84)の他端部どうしの間に、作業者の指の太さよりも大きな長さを有する筒状スペーサ(85)が介在され、このスペーサ(85)に連結ピン(86)が通されているものである。
この開き止め金具(81)によれば、スペーサ(85)の長さに相当する隙間(S10)が前後リンク(84)(84)間に形成されるため、前後リンク(83)(84)が閉じる際に、これらの間に手指を挟むことがなく、脚立の折り畳み操作を安全に行うことができる。
しかしながら、図８に示す開き止め金具(81)の場合、前後リンク(83)(84)の他端部どうしがスペーサ(85)の長さ分だけ離間しているため、前後脚(80A)(80B)を開いた状態で前後リンク(83)(84)に対して互いに離れる方向に引っ張り力が作用すると、前後リンク(83)(84)の他端部どうしを連結している連結ピン(86)に大きな曲げ応力が生じ、連結ピン(86)の変形や破損を招くおそれがあった。
また、図８に示す開き止め金具(81)では、リンク(83)(84)を共通化するために、左右リンクユニット(82L)(82R)が、中央バー(87)の長さ中央を基準点(P)として点対称となるように構成されており、一方のリンクユニットの前リンク(83)と、他方のリンクユニットの後リンク(84)とが、基準点(P)を通る対角線の位置にある。そのため、前後脚(80A)(80B)を開いた状態で前後リンク(83)(84)に対して互いに離れる方向に引っ張り力が作用すると、その応力が前後脚(80A)(80B)に対して互いに左右方向にずれるように働くため、構造的に不安定となるおそれがある。
【先行技術文献】
【特許文献】
【０００５】
【特許文献１】実公昭３１−８０６４号公報
【特許文献２】特開２０１３−５７２４４号公報
【発明の概要】
【０００６】
この発明の目的は、前後脚を閉じる際に手指を挟むおそれがない上、構成部品の変形や破損が起こり難く、また、安定した構造が得られる脚立の開き止め金具を提供することにある。
【０００７】
この発明による脚立の開き止め金具は、前後脚の上端部どうしが回動自在に連結されている脚立において、前後脚が所定角度以上に開くのを防止するための開き止め金具であって、一端部が前脚の左側部に回動自在に取り付けられる前リンク、一端部が後脚の左側部に回動自在に取り付けられる後リンク、および前後リンクの他端部どうしを回動自在に連結する水平な連結ピンを有している左リンクユニットと、一端部が前脚の右側部に回動自在に取り付けられる前リンク、一端部が後脚の右側部に回動自在に取り付けられる後リンク、および前後リンクの他端部どうしを回動自在に連結する水平な連結ピンを有している右リンクユニットと、左右リンクユニットの連結ピンどうしを連結するように左右リンクユニット間を水平にのびている中央バーとを備えており、左右各リンクユニットにおいて、前後リンクのうち少なくとも一方の他端部近傍に、閉脚操作時に前後リンク間に手指が挟まるのを防止しうる程度の隙間を生じさせるクランク状の屈曲部が形成されているものである。
【０００８】
この発明による脚立の開き止め金具によれば、左右各リンクユニットにおける前後リンクのうち少なくとも一方のリンクの他端部近傍に形成されたクランク状の屈曲部により、閉脚操作時に前後リンク間に手指が挟まるのを防止しうる程度の隙間が生じるので、前後リンク間に手指が挟まるおそれがなく、安全に使用することができる。
その上、この発明の開き止め金具によれば、前後リンクの他端部どうしを大きく離間させる必要がないので、前後脚を開いた状態で前後リンクに対して互いに離れる方向に引っ張り力が作用した場合でも、前後リンクの他端部どうしを連結する連結ピンに生じる曲げ応力は比較的小さいものとなり、連結ピンが変形したり破損したりし難い。
【０００９】
この発明による脚立の開き止め金具において、左右リンクユニットが、中央バーの長さ中央を通って前後方向にのびる線を基準線として左右対称となされているのが好ましい。
【００１０】
左右リンクユニットが上記のように左右対称となされていれば、開脚状態で前後リンクに対して互いに離れる方向に引っ張り力が作用した場合でも、その応力が前後の脚に対して互いに左右方向にずれるように働くことがなく、構造的に安定する。
【図面の簡単な説明】
【００１１】
【図１】この発明による開き止め金具を備えた脚立の開脚状態を示す斜視図である。
【図２】開き止め金具の斜視図である。
【図３】開き止め金具における連結ピンと中央バーとの連結構造を示すものであって、（ａ）は連結作業の一工程を示す部分拡大断面図であり、（ｂ）は連結後の状態を示す部分拡大断面図であり、（ｃ）は（ｂ）のC−C線に沿う垂直断面図である。
【図４】開脚状態の脚立の要部を拡大して示す側面図である。
【図５】図４のV−V線に沿う水平断面図である。
【図６】閉脚状態の脚立の要部を拡大して示す側面図である。
【図７】図６のVII−VII線に沿う水平断面図である。
【図８】従来の脚立の開き止め金具の要部を示す平面図である。
【発明を実施するための形態】
【００１２】
この発明の実施形態を、図１ないし図７を参照して以下に説明する。
なお、以下の説明において、「前」とは図４〜図７の右をいい、「後」とは図４〜図７の左をいい、また、「左右」とは前から見た場合の左右をいうものとする。
【００１３】
図１に示すように、この発明の実施形態に係る脚立(1)は、前後２つの脚(2A)(2B)を備えている。前後脚(2A)(2B)は、それぞれ、左右２本の支柱(21)と、両支柱(21)に渡し止められた複数の踏桟(22)とを備えている。さらに、前後各脚(2A)(2B)は、両支柱(21)の上端部に渡し止められた天板(23)を備えている。そして、前後脚(2A)(2B)の上端部どうしが回動自在に連結され、それによって脚立(1)が折り畳み自在に構成されている。また、脚立(1)には、前後脚(2A)(2B)が所定角度以上に開くのを防止するための開き止め金具(3)が備えられている。
【００１４】
前後各脚(2A)(2B)において、左右２本の支柱(21)は、横断面コ字形の金属形材よりなり、凹所開口どうしが向かい合うように左右に間隔をおいて配置されている（図５、図７参照）。
また、各踏桟(22)は、横断面略方形の金属形材よりなり、その両端部が所定高さ位置において左右の支柱(21)の凹所に嵌め込まれ、リベット等により支柱(21)に取り付けられている。
天板(23)は、略板状の金属形材よりなり、その両端部がブラケット（図示略）を介して左右の支柱(21)の上端部に取り付けられている。
前後脚(2A)(2B)における左右の支柱(21)の上端部には、他方の脚に向かって後方または前方に突き出すように、ヒンジ金具(24)が取り付けられており、前後脚(2A)(2B)の左右両側においてヒンジ金具(24)の先端部どうしがヒンジ結合されている。
【００１５】
図２に示すように、開き止め金具(3)は、左右１対のリンクユニット(4L)(4R)と、中央バー(5)とを備えた、平面より見て略Ｈ形のものである。
左リンクユニット(4L)は、一端部(411)が前脚(2A)の左側部に回動自在に取り付けられる前リンク(41)、一端部(421)が後脚(2B)の左側部に回動自在に取り付けられる後リンク(42)、および前後リンク(41)(42)の他端部(412)(422)どうしを連結する水平な連結ピン(43)を有している。
右リンクユニット(4R)は、一端部(411)が前脚(2A)の右側部に回動自在に取り付けられる前リンク(41)、一端部(421)が後脚(2B)の右側部に回動自在に取り付けられる後リンク(42)、および前後リンク(41)(42)の他端部(412)(422)どうしを連結する水平な連結ピン(43)を有している。
中央バー(5)は、左右リンクユニット(4L)(4R)の連結ピン(43)どうしを連結するように左右リンクユニット(4L)(4R)間を水平にのびている。
左右リンクユニット(4L)(4R)は、中央バー(5)の長さ中央を通って前後方向にのびる線を基準線(X)として、左右対称となされている（図５参照）。
【００１６】
左右リンクユニット(4L)(4R)の前後リンク(41)(42)は、それぞれ細長い帯状の金属板片よりなる。各リンク(41)(42)の両端部(411)(412)(421)(422)は、略弧状に成形されている。
【００１７】
前リンク(41)の一端部(411)は、前脚(2A)の左右側部、より詳細には、前脚(2A)の最上位の踏桟(22)の左右両端寄り部分に、ブラケット(44)を介して、水平軸線回りに回動自在に連結されている。
ブラケット(44)は、踏桟(22)の底面に重ねられてリベット等によって取り付けられる底面取付壁部(441)と、底面取付壁部(441)の後端縁から踏桟(22)の後側面に沿うように上方にのびかつ踏桟(22)の後側面にリベット等によって取り付けられる側面取付壁部(442)と、側面取付壁部(442)の左右方向内側縁から後方に向かって斜め下方にのびかつ先端側が前リンク(41)の一端部(411)に左右方向外側から重ねられてリベット等によって回動自在に連結されるリンク連結壁部(443)と、リンク連結壁部(443)の先端縁から左右方向内方にのびかつ開脚状態においてほぼ水平位置まで回動させられた前リンク(41)を下から支えるリンク支持壁部(444)とを備えており、所定形状に打ち抜かれた金属片を折曲加工することにより形成されている。
前リンク(41)の一端部(411)には、鉤形の係合凸部(411a)が設けられている。係合凸部(411a)は、閉脚操作時に前リンク(41)がほぼ垂直位置まで回動させられた際に、リンク支持壁部(444)の前端縁と係合して、前リンク(41)がそれ以上回動しないように規制するものである。
前リンク(41)の他端部(412)には、円形の挿通孔（図示略）があけられている。
【００１８】
後リンク(42)の他端部(422)には、前リンク(41)の挿通孔と同形同大の挿通孔（図示略）があけられている。
図２、図４および図５に示すように、後リンク(42)には、その他端部(422)のすぐ後側部分に、左右方向外方に向かってクランク状に折れ曲がった屈曲部(423)が形成されている。この屈曲部(423)は、閉脚操作時に前後リンク(41)(42)間に手指が挟まるのを防止しうる程度の隙間(S)を生じさせるためのものである（図７参照）。上記隙間(S)は、好適には１５〜３０ｍｍ程度となされ、それに応じて屈曲部(423)のサイズが決定される。
なお、屈曲部(423)は、この実施形態のように、後リンク(42)の他端部(422)近傍に形成する他、前リンク(41)の他端部(412)近傍に形成してもよく、さらには、前後両リンク(41)(42)の他端部(412)(422)近傍に形成してもよい。
後リンク(42)の一端部(421)は、後脚(2B)の左右側部、より詳細には、後脚(2B)の最上位の踏桟(22)の左右両端寄り部分に、ブラケット(45)を介して、水平軸線回りに回動自在に連結されている。
ブラケット(45)は、踏桟(22)の底面に重ねられてリベット等によって取り付けられる底面取付壁部(451)と、底面取付壁部(451)の前端縁から踏桟(22)の前側面に沿うように上方にのびかつ踏桟(22)の前側面にリベット等によって取り付けられる側面取付壁部(452)と、側面取付壁部(452)の左右方向外側縁から前方に向かって斜め下方にのびかつ先端側が後リンク(42)の一端部(421)に左右方向外側から重ねられてリベット等によって回動自在に連結されるリンク連結壁部(453)と、リンク連結壁部(453)の先端縁から左右方向外方にのびかつ開脚状態においてほぼ水平位置まで回動させられた後リンク(42)を下から支えるリンク支持壁部(454)とを備えており、所定形状に打ち抜かれた金属片を折曲加工することにより形成されている。
後リンク(42)の一端部(421)には、鉤形の係合凸部(421a)が設けられている。係合凸部(421a)は、閉脚操作時に後リンク(42)がほぼ垂直位置まで回動させられた際に、リンク支持壁部(454)の後端縁と係合して、後リンク(42)がそれ以上回動しないように規制するものである（図６参照）。
【００１９】
図３に詳しく示すように、連結ピン(43)は、偏平状の頭部(431)と、円柱状の軸部(432)とよりなる。軸部(432)の長さ中間には、横断面略Ｖ形の環状溝(433)が形成されている。
前リンク(41)の他端部(412)と、後リンク(42)の他端部(422)とは、前者(412)が左右方向外側となるように、平座金(46)を介して重ねられている。そして、前後リンク(41)(42)の他端部(412)(422)に形成された挿通孔および平座金(46)に、連結ピン(43)の軸部(432)が左右方向外側から挿通されている。平座金(46)は、主として前後リンク(41)(42)の相対回動を容易にするために使用されており、その厚みは２ｍｍ程度迄で十分である。なお、平座金(46)を使用せずに、前後リンク(41)(42)の他端部(412)(422)どうしを連結することも可能である。
【００２０】
中央バー(5)は、両端部が左右リンクユニット(4L)(4R)の連結ピン(43)に接続された連結パイプ(51)と、連結パイプ(51)の長さ中間部に嵌め被せられた筒状のグリップ(52)と、連結パイプ(51)の左右両端部に嵌め被せられた横断面欠円形のカラー(53)とよりなる。
連結パイプ(51)は金属製であって、その両端部が左右リンクユニット(4L)(4R)の連結ピン(43)の軸部(432)に嵌め被せられた状態でかしめられることによって、両連結ピン(43)と接合一体化されている。連結パイプ(51)のカシメは、連結ピン(43)の軸部(432)に形成された環状溝(433)に対応する箇所において行われる。
グリップ(52)は、連結パイプ(51)の外径よりも大きい内径を有する円筒状のものであって、例えばＡＢＳ樹脂等の合成樹脂により形成され、連結パイプ(51)の長さ中間部に緩く嵌め被せられている。
カラー(53)は、可撓性を有する材料（例えばＰＯＭ等の合成樹脂）よりなり、連結ピン(43)の軸部(432)にかしめられた連結パイプ(51)の左右両端部に、長さ方向に形成されたスリット(531)を通じて強制的に嵌められる。カラー(53)の内周面には、中心に向かって径方向にのびる複数のリブ(532)が周方向に等間隔をおいて形成されている。
カラー(53)の左右方向外側の端面には、リブ(532)の一部が切り欠かれることにより凹所(533)が形成されている。そして、この凹所(533)に、前後リンク(41)(42)の挿通孔を通って内側に突出した連結ピン(43)の軸部(432)に嵌められた平座金(47)が収容されている。
【００２１】
上述した脚立(1)にあっては、閉脚状態から前後脚(2A)(2B)を開いていくと、開き止め金具(3)における左右リンクユニット(4L)(4R)の前後リンク(41)(42)がほぼ水平となる位置まで回動させられ、この位置で静止させられる。これにより、前後脚(2A)(2B)はそれ以上の角度に開くことがなく、脚立(1)が安定した開脚状態に保持される。なお、開脚操作に際して、前後脚(2A)(2B)の開き角度が不十分である場合、中央バー(5)を手で下方に押すことにより、開き止め金具(3)の前後バー(41)(42)をほぼ水平な開き止め位置に来るまで確実に回動させることができる。
【００２２】
この開脚状態の脚立(1)において、例えば作業者が脚立(1)に乗ると、その荷重によって、左右リンクユニット(4L)(4R)の前後リンク(41)(42)に対して、互いに前後に離れる方向に引っ張り力が作用する。
上記実施形態の開き止め金具(3)にあっては、前後リンク(41)(42)の他端部(412)(422)どうしが平座金(46)の厚み分だけ僅かに離間しているに過ぎないので、前後リンク(41)(42)に対して引っ張り力が作用した場合でも、前後リンク(41)(42)の他端部(412)(422)どうしを連結する連結ピン(43)の軸部(432)に生じる曲げ応力が小さく、連結ピン(43)の変形や破損が生じ難い。また、上記の開き止め金具(3)では、図５に示したように、左右リンクユニット(4L)(4R)が、中央バー(5)の長さ中央を通って前後方向にのびる線(X)を基準線として、左右対称となされているので、開脚状態において前後リンク(41)(42)に対して互いに前後に離れる方向に引っ張り力が作用した場合でも、その応力が前後の脚(2A)(2B)に対して互いに左右方向にずれるように働くことがなく、構造的に安定している。
【００２３】
なお、上記の実施形態はあくまでも例示にすぎず、特許請求の範囲に記載された要旨を逸脱しない範囲内で適宜に変更を加えた形態として、この発明を実施することも勿論可能である。
【符号の説明】
【００２４】
(1)：脚立
(2A)：前脚
(2B)：後脚
(3)：開き止め金具
(4L)：左リンクユニット
(4R)：右リンクユニット
(41)：前リンク
(411)：（前リンクの）一端部
(412)：（前リンクの）他端部
(42)：後リンク
(421)：（後リンクの）一端部
(422)：（後リンクの）他端部
(423)：屈曲部
(43)：連結ピン
(5)：中央バー
(X)：基準線
【図１】
2015081454.tif 000003
【図２】
2015081454.tif 000004
【図３】
2015081454.tif 000005
【図４】
2015081454.tif 000006
【図５】
2015081454.tif 000007
【図６】
2015081454.tif 000008
【図７】
2015081454.tif 000009
【図８】
2015081454.tif 000010